(57)【要約】【課題】  従来のケース内から人形の手が上に出るものやスライド基板の事物に色彩が加わるもので見た目の変化だけによる弱い印象を、立体的に表記物を動かし、その動きと一緒に音が出る表記変り玩具を提供する。【解決手段】  厚さの薄い箱状としたケースとそのケース内を上下に移動する移動板とを形成して移動板の上側に折り曲げ部によってくびれた掛止部と反転部とを設る。  ケースには、上側に掛止部より反転部がケースの外に出る受け孔を設けて下端には挿入線のある折り込み片を設け、摘み部を挿入線に挿入して上下の移動を安定させている。  この摘み部を動かすことによって掛止部と受け孔とが回動軸の働きをするので反転部が反転し、移動板の折り曲げ部より下向きの舌片を設けたものはケースの裏面に切り抜いた細窓と接触して音を出すものとなる。【選択図】          図１
2007159605.tif 000002
【特許請求の範囲】
【請求項１】
マッチ箱の外箱のように上下が開口状態で厚さの薄い箱状としたケース１とそのケース１内を上下に移動する移動板２とを形成し、その移動板２の下端を摘み部３として上側部分には折り曲げ部４より上に絵、文字、数字や数式等を表記した反転部５を設け、その反転部５の折り曲げ部４寄りにくびれた掛止部６を形成してケース１の外側に反転部５が出る状態になる受け孔７をケース１に設け、掛止部６と受け孔７とが回動軸の働きをすることでケース１面の表記と反転部５の表記とが隠れたり現われたりする変化を特徴とした表記反転変り玩具。
【請求項２】
ケース１内を上下に移動する移動板２の折り曲げ部４より切り線８によって摘み部３側に向いた舌片９を形成し、反転部５が外側に出ている面とは反対側のケース面で舌片９が上下に移動する位置に、横長に切り抜いた細窓１０を少なくとも１個設けて舌片９が開いた細窓１０の切断面に打ち当たることを特徴とする請求項１記載の表記反転変り玩具。
【発明の詳細な説明】
【技術分野】
【０００１】
この発明は、マッチ箱の外箱のように上下が開口状態で厚さの薄い箱状としたケース内で移動板を移動させることによって、ケース面の表記と反転部にある表記とで変化を見せることや変化と一緒に音が出るようにしたものの表記反転変り玩具に関するものである。
【背景技術】
【０００２】
従来、厚さの薄い箱状としたケース内に上下に移動させる移動板をケースの開口部から出し入れ自在に収納し、ケース内から移動板を飛び出させると同時に人形が手を上げて出てくる特許文献１で示すアクセサリー型飛び出し玩具があった。
【０００３】
また、スライド部材をケース部材に対してスライドすることにより、ケース部材に設けた透明シートの事物の輪郭側とスライド基板の事物の色彩等が加わったもの側とによる変化を見て楽しむ特許文献２で示すものがあった。
【０００４】
【特許文献１】実開昭５８−２８６９１号公報
【特許文献２】特開２０００−２５４３６１号公報
【発明の開示】
【発明が解決しようとする課題】
【０００５】
従来の特許文献１においては、飛び出る人形の動きの変化を見せるもので、強い印象を与えることが強いものではなかった。
【０００６】
また、特許文献２においては、重ね合わせによる事物の色彩等を変化させることによる見て楽しむもので、これも強い印象を与えることが弱いものであった。
【０００７】
そこで、この発明は、見た目の変化だけによる弱い印象を、表記部分の反転による大きな変化や音を一緒に出すことによって、今まで以上に強い印象として与えることが出来る玩具を提供する。
【課題を解決するための手段】
【０００８】
本発明は、上記課題を達成するために、マッチ箱の外箱のように上下が開口状態で厚さの薄い箱状としたケース１とそのケース１内を上下に移動する移動板２とを形成し、その移動板２の下端を摘み部３として上側部分には折り曲げ部４より上に絵、文字、数字や数式等を表記した反転部５を形成する。
【０００９】
この反転部５の折り曲げ部４寄りにはくびれた掛止部６を形成し、ケース１の外側には反転部５が出る状態になる受け孔７をケース１に設け、掛止部６と反転部５の受け孔７とが回動軸の働きになるようにかかわり合せた状態にして、移動板２の摘み部３を上下に動かすことによってケース１の外側に出ている反転部５が受け孔７を支点として上下に反転して表記の裏表が大きく変るものとしている。
【００１０】
また、ケース１内を上下に移動する移動板２の折り曲げ部４より切り線８によって摘み部３側に向いた舌片９を形成し、反転部５が外側に出している面とは反対側のケース面で舌片９が上下に移動する位置に横長に切り抜いた細窓１０を少なくとも1個設けたものとしている。
【００１１】
この移動板２の摘み部３を上に押し動かすと反転部５は受け孔７を軸にして折り曲げ部４が上に押されることになって反転部５が下側に裏返され、そのとき舌片９は反転部５と一つの面として同時に動くので、舌片９は細窓１０と接触して動きながら開いた細窓１０の切断面に打ちあたることで音を発生することになるものであり、このときには、くびれた掛止部６を軸にして反転部５の表面と裏面との絵、文字、数字や数式等が反転することになる。
【００１２】
また、摘み部３を下に引き動かすと折り曲げ部４が受け孔７より下に引き下げられるので反転部５が上側に移動し、反転部５の裏面が反転して表面に変わることになると同時に、舌片９も細窓１０と接触して動きながら舌片９が開いた細窓１０の切断面に打ちあたることになるので、摘み部３を下に引き動かしても音を発生させることができるものである。
【発明の効果】
【００１３】
本発明に関する表記反転変り玩具は、移動板を動かしたときに反転部の表面と裏面との絵、文字、数字や数式等が反転する見た目での変化が大きいものであり、また、舌片を設けたものは反転部が反転すると同時に、舌片と細窓とが接触して動いて舌片が開いた細窓の切断面を打つことによって音が発生することから、耳からの聴覚と目からの感触との絵と音とを連動させることが出来て強い印象を与えて、面白さや楽しみをも与える効果がある。
【００１４】
また、細窓と移動板との移動変化を動画絵にして裏面から楽しめるものにすることができ、その他にも本発明に関する表記反転変り玩具は、大量生産ができるのでダイレクトメールや雑誌の付録などとして広く使うことができ、パッケージや楽器の形状など様々な形状としても使えことができるものである。
【発明を実施するための最良の形態】
【００１５】
以下、実施例を図面にもとづいて説明する。
【実施例１】
【００１６】
本発明に係わる実施例の一つとしては、マッチ箱の外箱のように上下が開口状態で厚さの薄い箱状としたケース１とそのケース１内を上下に移動する移動板２とを設けているもので、図で示すと図１はケース１を示す斜視図であり、図２はケース１内を移動する移動板２を示す平面図で、図３はケース１内に移動板２を装着した状態を示す斜視図である。
【００１７】
ケース１と移動板２との素材は紙質やプラスチック等の薄板で良く、ケース１の表面上側には移動板２を挿入する幅に切り線が設けられており、その切り線には細長く切り抜いた受け孔７を設けている。
【００１８】
また、ケース１の下側には切り抜いた角窓を設け、下端には折り込み片１１を連接し、その折曲げ線の中央に摘み部３を挿入させる挿入線１２を切ったものとしている。
【００１９】
この挿入線は移動板２が安定して上下に移動するためのものであり、ケース１の下側に設けた四角い角窓１３は移動板２に表記されたメッセージ等が摘み部３の上下の動きにともなっての変化を見るものとしている。
【００２０】
図２に示す移動板２は、移動板２の下端を摘み部３として上側部分には折り曲げ部４より上に絵、文字、数字や数式等を表記した反転部５を形成し、この反転部５の折り曲げ部４寄りにはくびれた掛止部６を形成していて、ケース１の外側に反転部５が出る状態に受け孔７とくびれた掛止部６とは回動軸の働きになるようにかかわり合せた状態にしするものである。
【００２１】
図３に示すものは、ケース１内に移動板２を装着した状態を示すもので、ケース１内より外側に出ている反転部５が下側に向いている状態であって、その反転部５の面には掛け算の問題が表記されているもので、摘み部３を下に引くと反転部５が上側に向いて表面が反転することで、下向きであった反転部５が覆っていたケース１の表面に表記した掛け算の答えが現われる仕組みになっているものである。
【００２２】
ケース１の形状は、図１に示す形状の他に、円形、四角形、五角形や具象形等とすることが考えられるもので、反転部５の形状においても円形、四角形、五角形や具象形等とすることが考えられるものである。
【００２３】
実施例の一つである表記反転変り玩具の取扱いは、摘み部３を下に引いたり上に押したりすることで移動板２の折り曲げ部４を上下に動かし、反転部５が受け孔７を軸として反転部５の表と裏とに反転させて、表記の変化と反転部５の下になる表記の見え隠れの変化とを、バタバタさせながら見て楽しむことができ、掛け算や漢字の読み書き問題を表記すること等が考えられるものである。
【実施例２】
【００２４】
本発明に係わる他の実施例としては、図４に示すように、ケース１内を上下に移動する移動板２の折り曲げ部４より切り線８によって摘み部３側に向いた舌片９を設けることが考えられ、掛止部６からの舌片９の長さをケース１の内側の高さよりも長いものとするものが良く、短いものでは細窓１０との接触が出来なくなり音も出ないものと成る。
【００２５】
舌片９を設けた移動板２を装着するケース１には、図５に示すように、受け窓７と対向する反対側のケース１の裏面に横長に切り抜いた細窓１０を３個設けたものとし、舌片９が上下に移動して横長に切り抜いた細窓１０と接触するものとしている。
【００２６】
この舌片９を設け移動板２をケース１に装着した表記反転変り玩具の取扱いは、摘み部３を下に引いたり上に押したりすることで移動板２の折り曲げ部４を上下に動かすことになり、折り曲げ部４より設けている舌片９が反転部５と一緒になって下向きに立ち上がり、ケース１の裏面に設た３個の細窓１０と接触しながら上下に動くことによって舌片９が開いた細窓１０の切断面に打ちあたることになって音を発生することになる。
【００２７】
細窓１０の形状は直線状の他に曲線状や凸凹状等自由であり、舌片９の形状も様々な形状が考えられてその音色も影響するものと思われるもので、その他の音色に関係するものとしては素材が考えられ、ケース１の上下が開口状態としていることは音を増幅する効果が高いものである。
【００２８】
格子状になっている細窓１０は、音を出す他に、細窓１０から覗き見ることができる移動板２の面を利用して、格子越しに動かすときの動画を移動板２の面に表記することが考えられるもので、、細窓１０の数は３個以上設けても良くその数は自由である。
【図面の簡単な説明】
【００２９】
【図１】本発明の厚さの薄い箱状としたケースを示す斜視図である。
【図２】本発明の移動板を示す平面図である。
【図３】ケースに移動板を挿入した状態を示す斜視図である。
【図４】折り曲げ部より舌片を設けた移動板を示す平面図である。
【図５】横長に切り抜いた細窓を設けたケースの裏面を示す斜視図である。
【符号の説明】
【００３０】
１  ケース
２  移動板
３  摘み部
４  折り曲げ部
５  反転部
６  掛止部
７  受け孔
８  切り線
９  舌片
１０  細窓
１１  折り込み片
１２  挿入線
１３  角窓
【図１】
2007159605.tif 000003
【図２】
2007159605.tif 000004
【図３】
2007159605.tif 000005
【図４】
2007159605.tif 000006
【図５】
2007159605.tif 000007